(57)【要約】【課題】衣類の着用時に、一目で、前と後ろがどちらなのかを識別できる衣服を提供する。【解決手段】シャツ１の前面部分には、上部の襟部１１から裾部１２にかけて線１３が略一直線に設けられている。この線は破線であり、シャツに直接プリントされている。着用者には線が設けられている面が前と予め知らせおくので、従来のようにシャツの前後を見比べたりする必要がなくなり、シャツを一瞥するだけで、どちらがシャツの前か後ろかを認識することができる。【選択図】図１
2011106047.tif 000002
【特許請求の範囲】
【請求項１】
衣類の前面又は後面のどちらか一方の面に、上部から裾部の方向に略真っ直ぐな線が設けられていることを特徴とする衣類。
【請求項２】
前記線は、実線、点線、線状模様、またはそれらの組み合わせのうちのいずれかであることを特徴とする請求項１記載の衣類。
【請求項３】
前記線は１つの模様又は連続する模様により形成されることを特徴とする請求項１又は２記載の衣類。
【請求項４】
前記線は前記線が設けられている面の素材とは異なる素材で形成されることを特徴とする請求項１乃至請求項３のいずれか１つに記載の衣類。
【請求項５】
前記線は留め具の取り付け位置を通るように設けられていることを特徴とする請求項1乃至請求項４のいずれか１つに記載の衣類。
【請求項６】
上の服と下の服が分かれている衣類において、前記上の服は前面又は後面のどちらか一方の面に、上部から裾部の方向に略真っ直ぐな第１の線が設けられ、前記下の服は前記上の服の前記第１の線が設けられている面と同じ面に、前記第１の線と連続するように略真っ直ぐな第２の線が設けられていることを特徴とする上下からなる衣類。
【請求項７】
つま先部分から甲の部分を通り上端の袋口部分まで略真っ直ぐな線が設けられていることを特徴とする靴下。
【発明の詳細な説明】
【技術分野】
【０００１】
本発明は、衣類を着用する際に衣類の前と後を識別しやすい衣類に関するものである。
【背景技術】
【０００２】
セーター、トレーナー、ズボン、スカート、靴下、帽子などの衣類は、着用する際に、前と後がどちらなのか分かりづらい。特に、幼児は識別能力が未発達なため、衣服の前後を間違えて着用してしまう場合が多い。
【０００３】
袖やズボンの裾が着脱できる衣類において、袖や裾の左右の間違いを防止するために、接続部に色をつけて左右の識別を可能とする衣類が特許文献１に開示されている。しかしながら、衣類の前と後を一目で識別できるものはなかった。
【先行技術文献】
【特許文献】
【０００４】
【特許文献１】特開２００９−１６１８７８号公報
【発明の概要】
【発明が解決しようとする課題】
【０００５】
そこで本発明は、衣類の着用時に、一目で、前と後ろがどちらなのかを識別できる衣服を提供することを目的とする。
【課題を解決するための手段】
【０００６】
本発明に係る衣類は、上記課題を解決するために、衣類の前面又は後面のどちらか一方の面に、上部から裾部の方向に略真っ直ぐな線が設けられている。
ここで、衣類には、Ｔシャツ、トレーナー、パジャマ等の頭からかぶる種類の衣類や、シャツ、ブラウス、ワンピース等の衣類の前面部分や後面部分にボタンやファスナー等の留め具を有する種類の衣類や、帽子、靴下などがある。
【０００７】
また、本発明の衣類の線を次のように形成することができる。
（１）実線、点線、線状模様、またはそれらの組み合わせのうちのいずれかであることができる。
（２）線を１つの模様又は連続する模様により形成することができる。
（３）線が設けられている面の素材とは異なる素材で形成することができる。
（４）線をボタンや面ファスナー等の留め具の取り付け位置を通るように設けることができる。
【０００８】
本発明の他の態様として、上の服と下の服が分かれている衣類において、上の服は前面又は後面のどちらか一方の面に上部から裾部の方向に略真っ直ぐな第１の線が設けられ、下の服は上の服の第１の線が設けられている面と同じ面に、第１の線と連続するように略真っ直ぐな第２の線が設けられている。
【０００９】
本発明の他の態様として、衣類が靴下である場合、靴下にはつま先部分から甲の部分を通り上端の袋口部分まで略真っ直ぐな線が設けられている。
【発明の効果】
【００１０】
本発明の衣類は、着用する際、前面又は後面のどちらかの一方の面に設けられた線を認識することにより、衣類のどちらが前か後ろかを瞬時に識別することができるという利点がある。
【図面の簡単な説明】
【００１１】
【図１】図１は本発明の衣類を適用した実施例１のシャツを示す正面図である。
【図２】図２は実施例１のシャツに設けられた線の他の例を示す正面図である。
【図３】図３は実施例１のシャツに設けられた線の他の例を示す正面図である。
【図４】図４は実施例１のシャツに設けられた線の他の例を示す正面図である。
【図５】図５は本発明の衣類を適用した実施例２のワンピースを示す正面図である。
【図６】図６は本発明の衣類を適用した実施例３の上下のパジャマを示す正面図である。
【図７】図７は本発明の衣類を適用した実施例４の靴下を示す斜視図である。
【図８】図８は本発明の衣類を適用した実施例５の帽子を示す斜視図である。
【発明を実施するための形態】
【００１２】
本発明は衣類の前面又は後面のどちらか一方の面に上部から裾部に略真っ直ぐな線を設けている。線が設けられている面が前又は後ろと、衣類の着用者に予め知らせておくので、衣類のどちらが前か後ろかを瞬時に識別することができる。
以下の実施例では本発明の衣類の特徴である線を前面に設けた場合について詳述する。
【実施例１】
【００１３】
本発明の衣類を適用したシャツを実施例１として説明する。図１はシャツの前面部分を示す図である。図１に示すように、シャツ１の前面部分には、上部の襟部１１から裾部１２にかけて線１３が略一直線に設けられている。この線は破線であり、シャツに直接プリントされている。
着用者には線が設けられている面が前と予め知らせおくので、従来のようにシャツの前後を見比べたりする必要がなくなり、シャツを一瞥するだけで、どちらがシャツの前か後ろかを認識することができる。
【００１４】
実施例１のシャツでは、線を破線としたが、線状に見えればよいので、実線は勿論、水玉模様を直線上に並べるなど模様で線を表してもよく、複数の模様を用いて１つの線を表すこともできる。また、実施例１のシャツでは線１３を一本設けたが、これに限定されることはなく、線の数を適宜増やすことができる。
【００１５】
図２及び図３に線の他の例を示す。図２及び図３のシャツには線を略左右対称となる位置に２本設けている。
図２は１つの模様で線を表す一例であり、模様に一匹のヘビの絵を使用して線を表したものであり、図３は複数の模様で線を表す一例であり、模様に複数のイモ虫の絵を使用して線を表したものである。
図２に示すように、シャツ２の前面部に、ヘビ２３が頭を裾部２２に向けて尻尾が襟部２１になるように描かれ、一本の線を表している。
また、図３に示すように、シャツ３の前面部に、イモ虫の頭を裾部３２の方向に下向きにして、襟部３１から裾部３２まで複数のイモ虫を連なるようにして描いて線３３を表している。
このように模様で線を表すと、服の着用が楽しくなり、特に子供を喜ばすことができる。
【００１６】
また、実施例１では線をシャツにプリントしたが、線をシャツの素材とは異なる素材で形成してもよい。例えば、線を刺繍やアップリケで表すことができる。図４に線の他の例を示す。図４のシャツ４には前面部に一本の線を設けている。図４に示すように、シャツ４の前面部に同一の長さを有する複数本の革紐４３を襟部４１から裾部４２にかけて線状に縫いつけて、線を表している。この他にも、ボタンやスパンコールをシャツ４の前面部に線状に縫いつけてもよい。
【実施例２】
【００１７】
次に、図５を参照して本発明の衣類の実施例２を説明する。図５は本発明の衣類を適用したワンピースの正面図である。
図５に示すように、ワンピース５の前面には、上部の襟元５１からスカートの裾部５２にかけて線５３が略一直線に設けられている。線は実線であり、ワンピース５に直接プリントされている。そして、この線５３はワンピース５の留め具であるボタン５４の位置を通るようにして設けられている。
【００１８】
従って、実施例２のワンピースも実施例１のシャツと同様に、ワンピースの前面を示す線を認識することにより、どちらがワンピースの前か後ろかをすぐに判断することができる。更に、線はボタンの位置を通るように形成されているので、ボタンが強調されてボタン位置が明確になり、ボタンの掛け違いを防止することができる。
【００１９】
実施例２では線を実線でプリントして表したが、これに限定されることはなく、実施例１と同様に様々に変形可能である。また、ボタンの位置を通るように線を設けたが、これ以外の個所にも1本又はそれ以上の線を追加して設けてもよい。
【実施例３】
【００２０】
次に図６を参照して本発明の衣類の実施例３を説明する。図６は本発明の衣類を適用した上下のパジャマの正面図である。
図６に示すように、パジャマ６の上服６ａには前面の襟部６１ａから裾部６１ｂにかけて二本の線６３が設けられ、下服のズボン６ｂには前面のウエスト部６２ａから左右の裾部６２ｂにかけて、二本の線が設けられている。上服６ａとズボン６ｂに設けられた線６３、６４は複数の滴の模様で表されている。そして、この上服６ａとズボン６ｂに設けられた線６３、６４は両方を着用したときに略一直線となるように設けている。
【００２１】
パジャマは通常着用する際、どちらが前か後ろかを上下について迷うことがあり、特に子供は下の服を着用する際、前後を間違えることが多い。本実施例３のパジャマを用いれば、上下に線を入れてあるので、一見して前後どちらが前か後ろかが分かる。特に、幼児が着用する際は、上服を着用後下のズボンを着用するときに上下の線を揃えるという楽しみが増え、着替えを楽しむことができる。
【００２２】
実施例３では線を滴の模様でプリントして表したが、これに限定されることはなく、実施例１と同様に様々に変形可能である。また、パジャマの上下を着用した際、上下の線が略一直線となるように線を設けたが、前面に線を設ければどちらが前か後ろかを識別できるので、上の服の線の位置と下の服の線の位置を一直線とならない位置に設けてもよい。また、線の形成方法を上下の服で異なるものとすることができる。例えば、上の服の線を滴の模様で表し、下の服の線を水玉の模様で表してもよい。
【００２３】
実施例３では、上下からなる衣類の一例としてパジャマを例示したが、上下揃いの運動着やシャツとズボン、シャツとスカート等にも適用できる。
【実施例４】
【００２４】
次に図７を参照して本発明の衣類の実施例４を説明する。図７は本発明の衣類を適用した靴下の斜視図である。
図７に示すように、靴下７のつま先７ａから甲の部分７ｂを通り上端の袋口部分7ｃまで、水玉の模様が略一直線に並べて配置され、線７３を表している。
【００２５】
子供特に幼児は靴下を履くとき、かかと部分を甲側に履いたり、靴下を引き上げる際全体をねじって履いたりすることが多い。しかしながら、実施例４の靴下の場合、線が着用時の目安となり、線が設けられている側を上にして、線が真っ直ぐなるように履けばいいので、簡単にきれいに靴下を履くことができる。
【００２６】
また、ただ線を設けるのではなく、模様、例えば実施例１のイモ虫、を用いて線を表すと、親が子供に対して、「イモ虫さんをまっすぐにしようね。」などの声かけを行いやすく、子供が自ら進んで一人で着替えを行うことを促すことができる。
【００２７】
次に図８を参照して本発明の衣類の実施例５を説明する。図８は本発明の衣類を適用した帽子の斜視図である。
図８に示すように、帽子８の前面に上部８ａから額部分８ｂにかけて略一直線に線８３が設けられている。
【００２８】
帽子の場合、つばがあるものは前と後ろをはっきりと区別できるが、ないものは前と後ろを区別することが難しく、特に幼児にとって正しく帽子をかぶることは大変困難であった。しかしながら、実施例４の帽子８を用いれば、帽子の前であることを示す線を瞬時に認識することができるので、帽子の前と後をすぐに識別することが可能となる。
【００２９】
以上、本発明の衣類の実施例を説明したが、本発明の衣類は上述の実施例に限定されることはなく、様々に変更、変形可能である。
例えば、上述の実施例では、全て衣類の前面部に線を設けたが、後面部に線を設けてもよい。着用者には、予め線が設けてある面が前であるか後ろであるかを明示すればよい。
【００３０】
また、衣類に線を上部から裾部にかけて設けたが、線が入っていることが分かればよいので、上部と裾部の端部分までに線を入れずに線を設けてもよく、また、衣類の上部から真ん中まで、真ん中から裾部までと線を設ける位置を適宜変更することができる。
【符号の説明】
【００３１】
１，２，３，４  シャツ
５  ワンピース
６  パジャマ
７  靴
８  帽子
１３，２３，３３，４３，５３，６３，６４，７３，８３  線
【図１】
2011106047.tif 000003
【図２】
2011106047.tif 000004
【図３】
2011106047.tif 000005
【図４】
2011106047.tif 000006
【図５】
2011106047.tif 000007
【図６】
2011106047.tif 000008
【図７】
2011106047.tif 000009
【図８】
2011106047.tif 000010